(57)【要約】      （修正有）【課題】前後へ回動する際の行程の制御が可能で、安全性が高く、かつセルフロック能力が高く、構造が簡単で、生産コストが低い腹筋ローラーを提供する。 【解決手段】腹筋ローラーは、中心に取り付け穴１００を有する中輪本体１と、取り付け穴に回動可能に連結され、把持バー２の両側に設置された把持部２００と、把持バーに固定され、ねじ穴３００を有し、ねじ穴の内部ねじ部にスクリュー３０１が接続し、スクリューにおける中輪本体に近接する一端がギヤ３０２に連結される固定フレーム３と、中輪本体の第１の端面に設けられ、中輪本体と同軸線を有し、内周壁にギアとマッチングするリングギヤ１０２が設けられ、中輪本体が回動すると、リングギヤがギアを駆動して回転させて、ギアをその軸線方向にそって進退移動可能に回転させる第１の収容キャビティ１０１と、固定フレームの側壁に連結され、ギヤ方向に延びて、中輪本体が最大行程まで前進回動したときに、中輪本体の前進回動をロックする行程制限部３０３を含む。【選択図】図２
0003231439.tif 000002
【実用新案登録請求の範囲】
【請求項１】
腹筋ローラーであって、   中心に取り付け穴を有する中輪本体と、 前記取り付け穴に回動可能に連結された把持バーと、把持バーの両側に設けられた把持部と、 前記把持バーに固定され、ねじ穴を有し、前記ねじ穴の内部の雌ねじ部に雄ねじ部を有するスクリューが螺合され、前記スクリューにおける前記中輪本体に近接する側の一端にギヤが装着される固定フレームと、 前記中輪本体の第１の端面に前記中輪本体と同軸上に設けられ、内周壁に前記スクリューに装着された前記ギアと噛合するリングギヤが設けられ、前記中輪本体が回転すると、リングギヤが前記ギアを回転駆動して、前記ギアを前記スクリューとともにその軸線方向にそって進退移動可能に回転させる第１の収容キャビティと、 前記固定フレームにおける前記ギヤに近接する側の側壁に連結され、前記ギヤ方向に延びて、前記中輪本体が最大行程まで前進回転したときに前記ギヤに当接して前記ギヤの回転を止めさせることにより、前記中輪本体の前進回動をロックする行程制限部を含むことを特徴とする腹筋ローラー。 
【請求項２】
前記中輪本体の第２の端面には第２の収容キャビティが設けられ、前記第２の収容キャビティには、巻きばねアッセンブリが設けられ、前記巻きばねアッセンブリの一端が前記把持バーに連結され、他端が前記第２収容室の内壁に連結されることを特徴とする請求項1に記載の腹筋ローラー。  
【請求項３】
前記第１の収容キャビティの内壁には、堰き止め構造部が設けられ、前記堰き止め構造部は、前記中輪本体が初期状態下で前記巻きばねアッセンブリの弾性力によって後退方向へ回転することを防止することを特徴とする請求項２に記載の腹筋ローラー。 
【請求項４】
前記堰き止め構造部は、前記第１の収容キャビティの内壁に設けられる弧形リブであり、前記中輪本体が初期状態にあるとき、前記ギアが弧形の内側に位置し、前記ギアの外縁が前記弧形リブの内壁に当接して、前記把持バーが前記中輪本体に対して静止状態を保持し、前記中輪本体は、初期状態から１回転未満の或る回転量前進したとき、前記ギアが前記弧形リブの外側に移動することを特徴とする請求項３に記載の腹筋ローラー。 
【請求項５】
前記中輪本体には、バッテリと、それぞれ前記バッテリに電気的に接続された数字表示部及びマーキー部が設けられていることを特徴とする請求項１に記載の腹筋ローラー。 
【請求項６】
前記数字表示部は、表示スクリーンと、信号センサーと、ワンチップマイコンと、スイッチと、を備え、前記ワンチップマイコンと、前記表示スクリーンと、前記ワンチップマイコンと、前記スイッチは、前記バッテリに電気的に接続され、前記固定フレームの外縁に磁石が設けられ、前記信号センサーは、前記磁石の信号を感知し、前記信号を前記ワンチップマイコンに伝送して処理を行い、最終的に前記表示スクリーンに表示されることを特徴とする請求項５に記載の腹筋ローラー。 
【請求項７】
前記マーキー部は、前記バッテリ、前記スイッチに電気的に接続されたライトストリップを備え、前記中輪本体の外側壁に、前記取り付けキャビティ周方向に沿って設けられ、前記取り付けキャビティに前記ライトストリップが収容され、前記取り付けキャビティの開口端が光透過パネルで覆われることを特徴とする請求項５に記載の腹筋ローラー。 
【請求項８】
前記中輪本体の両端のそれぞれには、ハブが設けられ、前記ハブには、タイヤが設けられ、前記タイヤの径寸法が前記中輪本体の外径寸法よりも大きく、前記ハブの外端面には飾りリングが設けられることを特徴とする請求項１に記載の腹筋ローラー。 
【請求項９】
前記行程制限部は、連結部を有し、前記連結部は、前記固定フレームに螺合され、自由端の突出長さが調節可能であることを特徴とする請求項１に記載の腹筋ローラー。 
【考案の詳細な説明】
【技術分野】
【０００１】
本考案は、腹筋ローラーに関し、具体的にはトレーニングを行うための腹筋ローラーに関するものである。 
【背景技術】
【０００２】
社会の急速な発展につれて、人々は一般的にかなりの仕事のプレッシャーを感じている。仕事の合間に、適切なトレーニング活動は人々の生活に欠かせないものになっている。しかし、通常の仕事では、ジムに行ってトレーニングする時間がほとんどないため、一般的に人々は自宅でダンベル、テンショナー、腹筋ローラーなどのトレーニング器具を利用してトレーニングしている。腹筋ローラーは、腕の力を強化するだけでなく、腰部、脚部、腹部全体も鍛えることができて、人々に愛される。先行技術の腹筋ローラーの構造は、一般に、中輪本体と把持部を含み、把持部は、中輪本体の中央に取り付けられ、中輪本体と回転可能に接続される。ユーザは、地面に横になり、把持部の両端を両手でつかみ、中輪本体を前方に押動したり後ろに引き戻したりすると、体を一緒に伸ばしたりアーチ状にしたりすることで、複数の往復運動が運動の効果を達成する。 そのため、腹筋ローラーはユーザの腕や腹部の力に対する要求が高く、一般の初心者では重心を把握するのが難しく、強度を把握しにくく、筋肉に負担がかかりやすくなり、怪我する恐れがある。現在、腹筋ローラーの回転を調整できる腹筋ローラーもいくつか市販されており、制御不能な動きによる不必要な顔の怪我を防ぐことができる。たとえば、中国国家知的財産局のウェブサイトには、発明の名称が多機能の腹筋ローラーであり、公開番号がＣＮ１０５９２０７９５Ｂでありの腹筋ローラーが公開されている。 前記多機能の腹筋ローラーは、本体、支持部材、中央パイプ、把持部、支持回転部材からなる構造であり、腹筋ローラーには、バネボックス、バネ、行程固定フレームも含まれている。バネボックスにはバネが付いており、バネの外端をバネボックスに固定し、中央パイプを行程固定フレームの中央に挿入して固定し、バネの内端を本体に固定する。前記本体は、行程固定フレームに近い側にらせん状の溝が設けられている。 前記行程固定フレームにスライドホールを設け、行程固定フレームがスライドホールを通過してらせん溝の外端に挿入され、行程固定フレームに対応してスライドホールを有する行程押し部が行程固定フレームと固定されて、行程位置決め部がスライド可能にスライドホールにロックされている。この構造の腹筋ローラーは、バネを使用して回転モーメントが形成されて、エネルギーを蓄積し、内側に移動すると、バネはエネルギーを放出し、回転しやすくなり、初心者の難易度を効果的に軽減する。また、本体のらせん状の溝と、行程位置決め部材と行程固定フレームにおけるスライドホールとが整合して、行程固定フレームがらせん状の溝の内端にスライドするように腹筋ローラーが前方への回転を停止し、行程固定フレームがらせん状の溝の外端にスライドすると、バッファが接触して停止するように腹筋ローラーが後方への回転を停止する。従って、腹筋ローラー前方への行程あるいは後方への行程を制御することができる。しかしながら、上記の先行技術の腹筋ローラーは、行程を制御する構造が非常に複雑であり、これを達成するためにらせん状の溝と、行程固定フレームと、スライドホールとの高精度な整合が必要とし、高い組立精度、製造および金型のコストが高くなる。 さらに、腹筋ローラーのセルフロック��、行程位置決め部材とスパイラル溝およびスライドホールとの間のジャムによって実現され、そのセルフロック能力は劣っている。 
【考案の概要】
【考案が解決しようとする課題】
【０００３】
本考案が解決しようとする課題は、前記先行技術の欠陥を克服し、前後へ回動する際の行程の制御が可能で、安全性が高く、かつセルフロック能力が高く、構造が簡単で、生産コストが低い腹筋ローラーを提供する。 
【課題を解決するための手段】
【０００４】
上記課題を解決するために、本考案は以下構造の腹筋ローラーを提供する。   本考案は腹筋ローラーであって、   中心に取り付け穴を有する中輪本体と、 前記取り付け穴に回動可能に連結された把持バーと、把持バーの両側に設けられた把持部と、 前記把持バーに固定され、ねじ穴を有し、前記ねじ穴の内部の雌ねじ部に雄ねじ部を有するスクリューが螺合され、前記スクリューにおける前記中輪本体に近接する側の一端にギヤが装着される固定フレームと、 前記中輪本体の第１の端面に前記中輪本体と同軸上に設けられ、内周壁に前記スクリューに装着された前記ギアと噛合するリングギヤが設けられ、前記中輪本体が回動すると、リングギヤが前記ギアを回転駆動して、前記ギアを前記スクリューとともにその軸線方向にそって進退移動可能に回転させる第１の収容キャビティと、 前記固定フレームにおける前記ギヤに近接する側の側壁に連結され、前記ギヤ方向に延びて、前記中輪本体が最大行程まで前進回動したときに前記ギヤに当接して前記ギヤの回転を止めさせることにより、前記中輪本体の前進回動をロックする行程制限部を含む。 
【０００５】
好ましい態様として、前記中輪本体の第２の端面には第２の収容キャビティが設けられ、前記第２の収容キャビティには、巻きばねアッセンブリが設けられ、前記巻きばねアッセンブリの一端が前記把持バーに連結され、他端が前記第２収容室の内壁に連結される。このような構造は以下の利点がある。ユーザの手で把持バーを握って中輪本体を前進に押動すると、把持バーが回転せず、巻きばねアッセンブリは、中輪本体が回転する際巻き取り蓄力状態となり、中輪本体を前進方向に押動して最大行程まで回転してから中輪本体を後退回転させると、巻きばねアッセンブリが解放状態となる。従って中輪本体の後退回転時に回動補助力を付与して、中輪本体の後退回転をより省力化し、初心者のトレーニング難度を効果的に低減する。 
【０００６】
好ましい態様として、前記第１の収容キャビティの内壁には、堰き止め構造部が設けられ、前記堰き止め構造部は、前記中輪本体が初期状態下で前記巻きばねアッセンブリの弾性力によって反転することを防止する。このような構造は以下の利点がある。中輪本体の初期状態下、巻きばねアッセンブリの弾性力により把持バーが固定フレーム及びギアごと回動し、その堰き止め構造部は、把持バーが固定フレーム及びギアごと巻きばねアッセンブリの弾性力により回動することを防止でき、即ち中輪本体が初期状態下で反転することを防止する。また、中輪本体が初期状態にあるとき、堰き止め構造部の堰き止めによって中輪本体が逆回転しない。初心者が中輪本体を前方に押してから、反力が反転して怪我を起こす危険を回避する。 
【０００７】
好ましい態様として、上記の堰き止め構造部は、第１の収容キャビティの内壁に設けられた弧形リブであって、中輪本体が初期状態にあるとき、ギアが弧形リブの内側に位置し、かつ、ギアの外縁が弧形リブの内壁に当接して、把持バーが中輪本体に対して静止状態を保持する。前記中輪本体は、初期状態から前進１回転未満の或る回転量で、前記ギアが弧形リブの外方に移動する。このような構造は以下の利点がある。中輪本体が初期状態にあるとき、ギアが弧形リブの内側に位置し、かつ、ギアの外縁が弧形リブの内壁と当接することで、巻きばねアッセンブリの弾性力により、中輪本体が把持バーに対し後退方向に相対的に回転しようとするのを防止する。また、中輪本体が初期状態にあるとき、弧形リブの阻止で、中輪本体が後退方向へ逆回転せず、初心者が中輪本体を前方に押してから、反力が反転して怪我を起こす危険を回避する。また、初期状態から前進回転が１周未満の或る回転量になると、ギアを駆動して弧形リブの堰き止めから外れ出して、中輪本体の前進回転へ影響を与えない。ギアの外縁が弧形リブの内壁に当接するまで中輪本体が後退回転すると、中輪本体は回転を止め、中輪本体の過度な後退回転に伴う作用力により傷付く危険を回避でき、本考案の腹筋ローラーの安全性が高い。 
【０００８】
好ましい態様として、前記中輪本体には、バッテリと、それぞれ前記バッテリに電気的に接続された数字表示部及びマーキー部が設けられている。このような構造は以下の利点がある。ユーザの運動中に、数字表示部で運動回数を直接表示できると共に、運動中にマーキー部において視覚的な観賞性をもたらすことで、従来の腹筋ローラーと比較してより多くの機能を実現する。 
【０００９】
好ましい態様として、前記数字表示部は、表示スクリーン、信号センサー、ワンチップマイコンとスイッチを備え、前記ワンチップマイコン、前記表示スクリーン、前記ワンチップマイコンと前記スイッチは、前記バッテリに電気的に接続され、前記固定フレームの外縁に磁石が設けられ、前記信号センサーは、前記磁石の信号を感知し、前記信号を前記ワンチップマイコンに伝送して処理を行い、最終的に前記表示スクリーンに表示される。このような構造は以下の利点がある。表示スクリーンは、中輪本体を前進回転又は往復回転させる回数を正確に表示し、ユーザーの運動強度や運動時間の管理に有利する。 
【００１０】
好ましい態様として、前記マーキー部は、前記バッテリ、前記スイッチに電気的に接続されたライトストリップを備え、前記中輪本体の外側壁に、前記取り付けキャビティ周方向に沿って設けられ、前記取り付けキャビティに前記ライトストリップが収容され、前記取り付けキャビティの開口端が光透過パネルで覆われる。このような構造は以下の利点がある。腹筋ローラーのテクノ感をより強くし、視覚的な観賞性をより良くする。 
【００１１】
好ましい態様として、前記中輪本体の両端のそれぞれには、ハブが設けられ、前記ハブには、タイヤが設けられ、前記タイヤの径寸法が前記中輪本体の外径寸法よりも大きく、前記ハブの外端面には飾りリングが接続される。このような構造は以下の利点がある。中輪本体を自動車のタイヤと同様にすることで、快適性がより強く、把持バーの摩擦力がより向上する。 
【００１２】
好ましい態様として、前記行程制限部は、連結部を有し、前記連結部は、前記固定フレームに螺着され、自由端の突出長さが調節可能である。このような構造は以下の利点がある。行程制限部の自由端の長さを調整できるため、ギアの軸方向の変位を調整して中輪本体の最大行程を調整できる。構造が簡単で利便性の高い、異なる身長のユーザーの要求を満たすことができる。 
【考案の効果】
【００１３】
以上の構成を採用したことによって、本考案の腹筋ローラーは、先行技術と比較して以下の利点を有する。   腹筋ローラーは、中輪本体の第１の端面の第１の収容キャビティ内に、中輪本体と同期して回転可能なリングギアを設けるとともに、把持バーの固定フレームにリングギアに噛み合うギヤを設け、かつ、ギヤを固定フレームのねじ穴にスクリューを介して螺合連結することにより、中輪本体とともにリングギアが回転する際に、リングギアがギヤをスクリューと共に回転して、ギヤをねじ穴の軸線方向に進退変位させる。したがって、中輪本体を前方に押す前進作動時には、リングギアはギヤを回転駆動させて、固定フレームに近づく方向に移動させ、中輪本体が予め設定された最大行程まで前進回転すると、ギヤが固定フレームの行程制限部に当たってギヤの回転が停止して中輪本体の前進回転がロックされる。ユーザが限界まで前に伸びすぎて力がコントロールできず顔が傷つけられることを防止する。したがって、本考案の腹筋ローラーが前方に回転して伸展動作する際の行程を制御でき、安全性が高く、暴走や過度な力による怪我をしないように初心者を守る。また、中輪本体のリングギアとの連動によるギアの回転、および行程制限部でギヤの回転又はギヤの移動を規制して中輪本体の回転をロックすることにより、構造が簡単で、組み立て及び製造のコストが低く、安定性に優れ、セルフロック能力が高くなる。もちろん、ユーザは、行程制限部が伸びた長さを調整することで中輪本体が回動する最大行程を調節できる。異なる身長のユーザーの要求を満たし、幅広い用途に使用できる。 
【図面の簡単な説明】
【００１４】
【図１】図１は腹筋ローラの構造図である。
【図２】図２は腹筋ローラの取り付け構造図である。
【図３】図３は腹筋ローラの第１の収容キャビティ内部の構造図である。
【図４】図４は腹筋ローラの固定フレームの構造図である。
【図５】図５は腹筋ローラの第２の収容キャビティ内部の構造図である。
【図６】図６は腹筋ローラの断面図である。
【図７】図７は腹筋ローラの数字表示部の構造図である。
【考案を実施するための形態】
【００１５】
以下では、本考案を、図面および特定の実施形態を参照してさらに詳細に説明する。 
【００１６】
図１〜図７を参照して、本考案の一実施例に係る腹筋ローラーを説明する。腹筋ローラーは中輪本体１を含み、前記中輪本体１の中心には、取り付け穴１００を有する。前記中輪本体１の両端には、それぞれハブ５が接続されており、前記ハブ５には、タイヤ５００が設置され、前記タイヤ５００の径寸法が中輪本体１の外径寸法よりも大きい。前記ハブ５の外端面に飾りリング５０１が設けられている。前記飾りリング５０１の周方向に複数の挿入ブロック５０２が設けられ、前記ハブ５の外端面には、前記挿入ブロック５０２に対応する挿入スロットが設けられ、前記飾りリング５０１の挿入ブロック５０２をハブ５の外端面の挿入スロット内に挿入して飾りリング５０１とハブ５との取り付けを実現する。前記ハブ５は、中輪本体１の第１の端面及び第２の端面にねじにより固定され、前記タイヤ５００は、ハブ５の外周壁に締まり嵌めした環状の弾性体であり、タイヤ５００の外面には凹凸の滑り止めパターンが設けられている。タイヤ５００の径寸法は中輪本体１の外径寸法よりも大きく、このような設置は、中輪本体の外面上のスイッチ、表示スクリーンなどを効果的に保護し、タイヤが地面に接触したときにタイヤの弾性力が発揮されて、腹筋ローラーの使用快適性が向上させる。 
【００１７】
また、本考案の腹筋ローラーは、把持バー２を含む。前記把持バー２は取り付け穴１００内に回動可能に連結され、その両側にそれぞれ把持部２００が設けられる。腹筋ローラーは、更に固定フレーム３を含む。前記固定フレーム３には接続穴３０４が設けられ、固定フレーム３の中央穴を把持バー２に設置し、接続穴３０４内部に連結ネジを取り付けて前記固定フレーム３を前記把持バー２に固定して接続させる。前記固定フレーム３には、ねじ穴３００が設けられ、前記ねじ穴３００の内部の雌ねじ部には、スクリュー３０１の雄ねじ部が螺合され、かつ、スクリュー３０１における中輪本体１に近接する一端には、ギア３０２が装着される。前記ギア３０２とスクリュー３０１は溶接固定される。ギア３０２が回転すると、スクリュー３０１が固定フレーム３のねじ穴３００内で回転して、ギア３０２がスクリュー３０１とともにねじ穴３００の軸方向に沿って変位する。 
【００１８】
図２〜図４に示すように当該腹筋ローラーは、更に第１の収容キャビティ１０１を備える。前記第１の収容キャビティ１０１は、中輪本体１の第１の端面に設けられ、中輪本体１と同じ軸を有する。第１の収容キャビティ１０１の内周壁には、ギア３０２と噛み合うリングギア１０２が設けられる。中輪本体１が回転すると、リングギア１０２がギア３０２を駆動して回転させて、ギア３０２がその軸線方向に沿って進退可能に移動する。当該腹筋ローラーは、更に行程制限部３０３を備える。前記行程制限部３０３は、固定フレーム３におけるギア３０２に近接する一側の側壁に連結され、ギア３０２に向かう方向に延伸して、中輪本体１が最大行程まで前進回動した時、ギア３０２に当たってギア３０２を止めさせて、中輪本体１の前進回転をロックする。腹筋ローラーは、中輪本体１がリングギア１０２を一体的に回転する時、リングギア１０２がギヤ３０２およびスクリュー３０１を一緒に回転して、ギア３０２をねじ穴３００の軸線方向に沿って進退させる。従って、中輪本体を前方に押すことを前進作動とする時、リングギア１０２はギヤ３０２を連動して回転させて、ギヤ３０２が固定フレーム３に近接する方向に向かって移動する。中輪本体１が、予め設定された最大行程まで前進回転すると、ギヤ３０２が固定フレーム３の行程制限部３０３に当たってギヤ３０２の回転を停止させて、中輪本体１の前進回転をロックする。ユーザが過度に前伸びして、コントロールできず顔を傷つけることを回避する。従って、腹筋ローラーが前方に回転することを伸展動作とする場合、伸展動作の行程を制御でき、安全性が高く、コントロールの喪失や過度の運動による怪我から初心者を守るのに役立つ。また、中輪本体１のリングギア１０２との連動によるギア３０２の回転、行程制限部３０３を利用してギヤ３０２の回転、又はギヤ３０２の移動を規制して中輪本体１の回転をロックできるので、構造が簡単で、組み立て及び製造のコストが低く、安定性に優れ、セルフロック能力が高い。もちろん、ユーザは、行程制限部３０３が伸びた長さを調整することで中輪本体１が回転する最大行程を調節できる。異なる身長のユーザーの要求を満たし、幅広い用途に使用できる。 
【００１９】
図５に示すように本実施例では、前記中輪本体１の第２の端面には、前記第２の収容キャビティ１０３が設けられる。前記第２の収容キャビティ１０３の内部には、巻きばねアッセンブリ８が内蔵されており、当該巻きばねアッセンブリ８の一端が把持バー２に連結され、前記巻きばねアッセンブリ８の他端が前記第２の収容キャビティ１０３の内壁に連結される。ユーザの手で把持バー２を握って中輪本体１を前進方向に押動すると、把持バー２が回動せず、巻きばねアッセンブリ８は、中輪本体１が回転する際、巻き取り蓄力状態となり、中輪本体１を前進方向に押動して最大行程まで回動してから中輪本体１を後退回転させると、巻きばねアッセンブリ８が解放状態となる。従って、中輪本体１の後退回転時に回動補助力を付与して、中輪本体１の後退回転をより省力化し、初心者のトレーニング難度を効果的に低減する。 
【００２０】
図２〜図４に示すように本実施例では、第１の収容キャビティ１０１の内壁には、堰き止め構造部４が設けられ、当該堰き止め構造部４は、中輪本体１の初期状態下で巻きばねアッセンブリ８の弾性力を受けて反転することを防止する。好ましい実施例として、前記堰き止め構造部４は、第１の収容キャビティ１０１の内壁に設けられた弧形リブ４００であり、中輪本体１が初期状態にあるとき、ギア３０２が弧形リブ４００の内側に位置し、ギア３０２の外縁が弧形リブ４００の内壁に当接し、把持バー２が中輪本体１に対して静止状態を保持する。ギア３０２は、中輪本体１が初期状態から１回転未満の或る回転量前進すると弧形リブ４００の外側まで移動する。前記中輪本体１が初期状態にあるとき、前記ギア３０２が弧形リブ４００の内側に位置し、前記ギア３０２の外縁が前記弧形リブ４００の内壁に当接して、巻きばねアッセンブリ８の弾性力により前記中輪本体１と前記把持バー２が相対的に回転することを防止する。また、中輪本体１が初期状態にあるとき、弧形リブ４００の堰き止めにより、中輪本体１が後退方向へ逆回転せず、初心者が中輪本体１を前方へ押動する際、力がコントロールできず反転させてしまい、怪我を起こす危険を回避する。また、中輪本体１が初期状態から１回転未満の或る回転量前進すると、ギヤ３０２が軸に沿って固定フレーム３に向けて退避移動して、弧形リブ４００の堰き止めから外れ出すので、中輪本体１の前進回転へ影響を与えない。ギア３０２の外縁が弧形リブ４００の内壁に当接するまで中輪本体１を後退回転すると、中輪本体１は回転を止めて、中輪本体１の後退回転に伴う過度な作用力により傷付く危険を回避でき、本考案の腹筋ローラーの安全性が高くなる。 
【００２１】
図４を参照して本実施例では、前記行程制限部３０３は、連結部を備え、当該連結部は、固定フレーム３に螺合されて、前記行程制限部３０３の自由端の突出長さが調節可能である。この行程制限部３０３は、行程制限部３０３の自由端の長さを調整でき、ギア３０２が軸方向に進退変位する範囲を調整することで中輪本体１の最大行程を調整するようにしたので、構造が簡単で、利便性の高く、異なる身長のユーザーの要求を満たすことができる。 
【００２２】
図１〜図３、図７に示すように本実施例では、中輪本体１は、さらにバッテリ６０４と、それぞれ当該バッテリ６０４に電気的に接続された数字表示部６と、マーキー部７と、を備える。前記中輪本体１には、バッテリ６０４と電気的に接続される充電ポート６０２が設けられ、前記数字表示部６は、表示スクリーン６００、信号センサ６０５、ワンチップマイコン６０３とスイッチ６０１を備える。前記ワンチップマイコン６０３、前記表示スクリーン６００、前記信号センサ６０５、および前記スイッチ６０１それぞれは、バッテリ６０４に電気的に接続されている。前記固定フレーム３の外縁には、磁石６０６が設けられており、前記信号センサ６０５は、磁石６０６の信号を感知し、信号をワンチップマイコン６０３に伝送して処理を行い、最終的に表示スクリーン６００に表示される。前記マーキー部７は、バッテリ６０４、スイッチ６０１と電気的に接続されたライトストリップを備える。中輪本体１の外側壁には周方向に沿って取り付けキャビティが設けられ、取り付けキャビティにはライトストリップが収容される。取り付けキャビティの開口端は光透過パネル７００で覆われる。この表示スクリーン６００は、ユーザーのトレーニング強度やトレーニング時間の管理に役立つように、中輪本体１の前進回転数や後退回転数を正確に表示することができる。このライトストリップの設置は、腹筋ローラーのテクノ感をより強くし、視覚的な観賞性をより良くする。 
【００２３】
以上、本考案の具体的な実施形態説明したが、本考案の保護範囲はこれに限定されるものではなく、当業者は、本考案の技術的範囲における、容易に想到し得る変化や置換が可能であり、本考案の保護範囲に収まるべきである。従って、本考案の保護範囲は請求項の保護範囲を限定するべきである。   
【符号の説明】
【００２４】
１  中輪本体 １００  取り付け穴 １０１  第1の収容キャビティ １０２  リングギア １０３  第２の収容キャビティ ２  把持バー ２００  把持部 ３  固定フレーム ３００  ねじ穴 ３０１  スクリュー ３０２  ギア ３０３  行程制限部 ３０４  接続穴 ４  堰き止め構造部 ４００  弧形リブ ５  ハブ ５００  タイヤ ５０１  飾りリング ５０２  挿入ブロック ６  数字表示部 ６００  表示スクリーン ６０１  スイッチ ６０２  充電ポート ６０３  ワンチップマイコン ６０４  バッテリー ６０５  信号センサー ６０６  磁石 ７  マーキー部 ７００  光透過パネル 
【図１】
0003231439.tif 000003
【図２】
0003231439.tif 000004
【図３】
0003231439.tif 000005
【図４】
0003231439.tif 000006
【図５】
0003231439.tif 000007
【図６】
0003231439.tif 000008
【図７】
0003231439.tif 000009
【手続補正書】
【提出日】令和3年1月28日(2021.1.28)
【手続補正１】
【補正対象書類名】実用新案登録請求の範囲
【補正対象項目名】全文
【補正方法】変更
【補正の内容】
【実用新案登録請求の範囲】
【請求項１】
腹筋ローラーであって、
中心に取り付け穴を有する中輪本体と、
前記取り付け穴に回動可能に連結された把持バーと、把持バーの両側に設けられた把持部と、
前記把持バーに固定され、ねじ穴を有し、前記ねじ穴の内部の雌ねじ部に雄ねじ部を有するスクリューが螺合され、前記スクリューにおける前記中輪本体に近接する側の一端にギヤが装着される固定フレームと、
前記中輪本体の第１の端面に前記中輪本体と同軸上に設けられ、内周壁に前記スクリューに装着された前記ギヤと噛合するリングギヤが設けられ、前記中輪本体が回転すると、リングギヤが前記ギヤを回転駆動して、前記ギヤを前記スクリューとともにその軸線方向にそって進退移動可能に回転させる第１の収容キャビティと、
前記固定フレームにおける前記ギヤに近接する側の側壁に連結され、前記ギヤ方向に延びて、前記中輪本体が最大行程まで前進回転したときに前記ギヤに当接して前記ギヤの回転を止めさせることにより、前記中輪本体の前進回動をロックする行程制限部を含むことを特徴とする腹筋ローラー。
【請求項２】
前記中輪本体の第２の端面には第２の収容キャビティが設けられ、前記第２の収容キャビティには、巻きばねアッセンブリが設けられ、前記巻きばねアッセンブリの一端が前記把持バーに連結され、他端が前記第２の収容キャビティの内壁に連結されることを特徴とする請求項1に記載の腹筋ローラー。
【請求項３】
前記第１の収容キャビティの内壁には、堰き止め構造部が設けられ、前記堰き止め構造部は、前記中輪本体が初期状態下で前記巻きばねアッセンブリの弾性力によって後退方向へ回転することを防止することを特徴とする請求項２に記載の腹筋ローラー。
【請求項４】
前記堰き止め構造部は、前記第１の収容キャビティの内壁に設けられる弧形リブであり、前記中輪本体が初期状態にあるとき、前記ギヤが弧形の内側に位置し、前記ギヤの外縁が前記弧形リブの内壁に当接して、前記把持バーが前記中輪本体に対して静止状態を保持し、前記中輪本体は、初期状態から１回転未満の或る回転量前進したとき、前記ギヤが前記弧形リブの外側に移動することを特徴とする請求項３に記載の腹筋ローラー。
【請求項５】
前記中輪本体には、バッテリと、それぞれ前記バッテリに電気的に接続された数字表示部及びマーキー部が設けられていることを特徴とする請求項１に記載の腹筋ローラー。
【請求項６】
前記数字表示部は、表示スクリーンと、信号センサーと、ワンチップマイコンと、スイッチと、を備え、前記ワンチップマイコンと、前記表示スクリーンと、前記ワンチップマイコンと、前記スイッチは、前記バッテリに電気的に接続され、前記固定フレームの外縁に磁石が設けられ、前記信号センサーは、前記磁石の信号を感知し、前記信号を前記ワンチップマイコンに伝送して処理を行い、最終的に前記表示スクリーンに表示されることを特徴とする請求項５に記載の腹筋ローラー。
【請求項７】
前記マーキー部は、前記バッテリ、前記スイッチに電気的に接続されたライトストリップを備え、前記中輪本体の外側壁に周方向に沿って取り付けキャビティが設けられ、前記取り付けキャビティに前記ライトストリップが収容され、前記取り付けキャビティの開口端が光透過パネルで覆われることを特徴とする請求項６に記載の腹筋ローラー。
【請求項８】
前記中輪本体の両端のそれぞれには、ハブが設けられ、前記ハブには、タイヤが設けられ、前記タイヤの径寸法が前記中輪本体の外径寸法よりも大きく、前記ハブの外端面には飾りリングが設けられることを特徴とする請求項１に記載の腹筋ローラー。
【請求項９】
前記行程制限部は、連結部を有し、前記連結部は、前記固定フレームに螺合され、自由端の突出長さが調節可能であることを特徴とする請求項１に記載の腹筋ローラー。